(57)【要約】【課題】光源としてＬＥＤを用いることで環境負荷の軽減を図るとともに、犯罪抑止力を効果的に発揮して、安全・安心な街づくりのための環境設計に寄与できる屋外用照明器具及び照明方法を提供することを目的とするものである。【解決手段】少なくとも２色以上の照射光を同時に照射可能な防犯灯１であって、光源として複数の白色ＬＥＤ１６及び青色ＬＥＤ１８が配設され、地表面Ｇから所定距離Ｄだけ上方に位置される灯具本体１１と、前記灯具本体１１の略垂直下方に向けて白色系の照射光を照射する第一照明部１３と、前記灯具本体１１の略垂直下方の外側に向けて青色系の照射光を照射する第二照明部１４とを備えてなる。【選択図】図１
2008135381.tif 000002
【特許請求の範囲】
【請求項１】
少なくとも２色以上の照射光を同時に照射可能な屋外用照明器具であって、
光源として複数のＬＥＤが配設され、地表面から所定距離だけ上方に位置される灯具本体と、
前記灯具本体の略垂直下方位置を白色に発光させるとともに、前記灯具本体及び／又はその近傍位置を青色に発光させる照明部を備えてなることを特徴とする屋外用照明器具。
【請求項２】
前記照明部は、
前記灯具本体の略垂直下方に向けて白色系の照射光を照射する第一照明部と、
前記灯具本体の略垂直下方よりも外側に向けて青色系の照射光を照射する第二照明部とを備えてなることを特徴とする請求項１に記載の屋外用照明器具。
【請求項３】
前記第一照明部には、光源として白色ＬＥＤが配設されることを特徴とする請求項２に記載の屋外用照明器具。
【請求項４】
前記第二照明部には、光源として青色ＬＥＤが配設されることを特徴とする請求項２又は請求項３に記載の屋外用照明器具。
【請求項５】
前記第二照明部は、前記第一照明部の外周縁部に沿って連設されることを特徴とする請求項２乃至請求項４のいずれか一項に記載の屋外用照明器具。
【請求項６】
前記第二照明部は、前記第一照明部の対向する一対の縁部にそれぞれ連設されることを特徴とする請求項２乃至請求項５のいずれか一項に記載の屋外用照明器具。
【請求項７】
前記灯具本体は、前記支柱部に直付けして固定されることを特徴とする請求項１乃至請求項６のいずれか一項に記載の屋外用照明器具。
【請求項８】
前記灯具本体は、前記支柱部に地表面との相対角度を可変調節可能な連結基部を介して取り付けられることを特徴とする請求項１乃至請求項６のいずれか一項に記載の屋外用照明器具。
【請求項９】
前記灯具本体は、一の支柱部に対して地表面からの所定距離が異なるように複数配置されることを特徴とする請求項１乃至請求項８のいずれか一項に記載の屋外用照明器具。
【請求項１０】
前記光源に電力を供給する太陽電池を用いた自動蓄電手段を備えてなることを特徴とする請求項１乃至請求項９のいずれか一項に記載の屋外用照明器具。
【請求項１１】
少なくとも２色以上の照射光を同時に照射する照明方法であって、
光源として複数のＬＥＤが配設され、地表面から所定距離だけ上方に位置される灯具本体に設けられた照射部によって、
前記灯具本体の略垂直下方位置を白色に発光させるとともに、前記灯具本体及び／又はその近傍位置を青色に発光させることを特徴とする照明方法。
【発明の詳細な説明】
【技術分野】
【０００１】
本発明は、屋外用照明器具及び照明方法に関し、より詳細には、街路灯や防犯灯などに用いられ、少なくとも２色以上の照射光を同時に照射可能な屋外用照明器具及び照明方法の技術に関する。
【背景技術】
【０００２】
市街地の道路・交差点・駐車場・公園などには、街路灯や防犯灯などの屋外用照明器具が配置されている。従来、屋外用照明器具の光源としては、白熱電球や水銀灯や蛍光灯などが用いられてきたが、近年では、白熱電球等に替わる光源としてＬＥＤ（Ｌｉｇｈｔ  Ｅｍｉｔｔｉｎｇ  Ｄｉｏｄｏ）を用いた照明器具が提案されている。
【０００３】
一例として、特許文献１には、光源に白色ＬＥＤを用いた照明器具であって、グローブの発光面部を凹凸状かつ湾曲状に形成することで、ＬＥＤより照射された光の照射領域を拡大させることを目的とした照明器具が開示されている（特許文献１参照）。
また、特許文献２には、広角用ＬＥＤ照射器、中角用ＬＥＤ照射器、及び狭角用ＬＥＤ照射器を備え、各照射器から歩道の幅方向に対して異なる領域に光を照射するようにした照明器具が開示されている（特許文献２参照）。
【０００４】
このように光源としてＬＥＤを用いた照明器具は、消費電力を抑制でき、光源発熱量の低減による温暖化防止といった環境負荷の軽減化を達成することができることから、環境に配慮した事業活動を行う上で効果的であり、また、光源の耐久性や発色のバリエーションが多様であることからも注目されているところである。
【０００５】
ところで、近年、安全・安心な街づくりのための環境設計が見直されており、中でも、屋外用照明器具に関して、地域内の屋外用照明器具（特に、防犯灯）を「青色」に組替えることで、当該地域での犯罪抑止（若しくは防止）を図ることを目的とした取り組みが注目されている。
「青色」に発光する防犯灯を地域内に配置することで、犯罪抑止が期待できる理由としては、（１）元来、青色には、人間の副交感神経に作用することによる鎮静効果と、普遍的嗜好性から心理的に冷静にさせる効果があること、（２）青色は、赤色やオレンジ色に比べて「プルキンエ効果」により夜間の視認性が向上するため、犯罪者等において「人目を避けたい」とする心理が働くこと等が考えられている。
そして、すでに、幾つかの地域においては、実証実験が試みられており、その結果興味深い結果も報告されてきている。
【０００６】
しかしながら、従来の屋外用照明器具の構成では、単に照射光を「青色」に変更したとしても、灯具本体からの照射光が青色の単一色であれば、アスファルト等の歩道面が通常暗い色合いであることから、色調のコントラストが不均衡となって、反って、歩行者や走行車両にとって屋外用照明器具の略直下位置での円滑な交通が妨げられてしまうといった課題があった。
また、従来の屋外用照明器具の構成に青色ＬＥＤを組み付けた場合には、ＬＥＤ独特の指向性により、照射される方向によっては色むらが生じ易く、遠方の歩行者や走行車両から青色の照射光を視認しにくいため、期待されるような犯罪抑止の効果が低減されてしまうといった課題があった。
【０００７】
なお、屋外用照明器具において、遠方の走行車両や歩行者から照射光の視認性を向上させるという観点から、例えば、特許文献３及び特許文献４のような構成が提案されている（特許文献３及び特許文献４参照）。
【特許文献１】特許第３４９８２９０号公報
【特許文献２】特開２００４−１１６１７７号公報
【特許文献３】特開平１１−１１１０１９号公報
【特許文献４】特開２００３−２０３５０６号公報
【発明の開示】
【発明が解決しようとする課題】
【０００８】
そこで、本発明においては、屋外用照明器具及び照明方法に関し、前記従来の課題を解決するもので、光源としてＬＥＤを用いることで環境負荷の軽減を図るとともに、犯罪抑止力を効果的に発揮して、安全・安心な街づくりのための環境設計に寄与できる屋外用照明器具及び照明方法を提供することを目的とするものである。
【課題を解決するための手段】
【０００９】
本発明の解決しようとする課題は以上の如くであり、次にこの課題を解決するための手段を説明する。
【００１０】
すなわち、請求項１においては、少なくとも２色以上の照射光を同時に照射可能な屋外用照明器具であって、光源として複数のＬＥＤが配設され、地表面から所定距離だけ上方に位置される灯具本体と、前記灯具本体の略垂直下方位置を白色に発光させるとともに、前記灯具本体及び／又はその近傍位置を青色に発光させる照明部を備えてなるものである。
【００１１】
すなわち、請求項２においては、前記照明部は、前記灯具本体の略垂直下方に向けて白色系の照射光を照射する第一照明部と、前記灯具本体の略垂直下方よりも外側に向けて青色系の照射光を照射する第二照明部とを備えてなるものである。
【００１２】
請求項３においては、前記第一照明部には、光源として白色ＬＥＤが配設されるものである。
【００１３】
請求項４においては、前記第二照明部には、光源として青色ＬＥＤが配設されるものである。
【００１４】
請求項５においては、前記第二照明部は、前記第一照明部の外周縁部に沿って連設されるものである。
【００１５】
請求項６においては、前記第二照明部は、前記第一照明部の対向する一対の縁部にそれぞれ連設されるものである。
【００１６】
請求項７においては、前記灯具本体は、前記支柱部に直付けして固定されるものである。
【００１７】
請求項８においては、前記灯具本体は、前記支柱部に地表面との相対角度を可変調節可能な連結基部を介して取り付けられるものである。
【００１８】
請求項９においては、前記灯具本体は、一の支柱部に対して地表面からの所定距離が異なるように複数配置されるものである。
【００１９】
請求項１０においては、前記光源に電力を供給する太陽電池を用いた自動蓄電手段を備えてなるものである。
【００２０】
請求項１１においては、少なくとも２色以上の照射光を同時に照射する照明方法であって、光源として複数のＬＥＤが配設され、地表面から所定距離だけ上方に位置される灯具本体に設けられた照射部によって、前記灯具本体の略垂直下方位置を白色に発光させるとともに、前記灯具本体及び／又はその近傍位置を青色に発光させるものである。
【発明の効果】
【００２１】
本発明では、光源としてＬＥＤが用いられることで、消費電力を抑制でき、光源発熱量の低減による温暖化防止といった環境負荷の軽減化を達成することができる。
また、灯具本体及び／又はその近傍位置が遠方からは「青色」に視認されることで犯罪抑止の効果が期待できるとともに、灯具本体の略垂直下方が白色に明るく照らされることで灯具本体の下方を通過する歩行者や走行車両の円滑な通行が妨げられることがない。
そして、当該地域にこのような「青色」の照明器具を複数箇所に配置することで、安全・安心な街づくりのための環境設計に寄与することができる。
【発明を実施するための最良の形態】
【００２２】
次に、発明を実施するための最良の形態を説明する。
図１は本発明の一実施例に係る防犯灯の全体的な構成を示した側面図、図２は灯具本体の斜視図、図３は灯具本体の側面図、図４は灯具本体の下方平面図、図５は同じく図４の灯具本体の下方平面図、図６は灯具本体から照射される照射光の水平面照度分布図、図７は灯具本体から照射される照射光の光分布のイメージ図、図８は別実施例に係る防犯灯の灯具本体の側面図、図９は同じく図８の灯具本体の側面図、図１０は図８の灯具本体の正面断面図、図１１は別実施例に係る歩車一体型の街路灯の全体的な構成を示した側面図、図１２は太陽光発電システムを備えた図１の防犯灯の全体的な構成を示した側面図である。
なお、以下の実施例では、本実施例の屋外照明器具を防犯灯１として用いた場合について主に説明するが、実施例としてはこれに限定されず、その他の実施例の詳細については後述する（図８乃至図１２参照）。
【００２３】
まず、本実施例の屋外用照明器具の全体構成について、以下に説明する。
図１及び図２に示すように、本実施例の屋外用照明器具は、防犯灯１として構成されており、光源として複数のＬＥＤ１６・１８が配設され、地表面から所定距離Ｄだけ上方に位置される灯具本体１１と、灯具本体１１の略垂直下方位置を白色に発光させるとともに、灯具本体１１及び／又はその近傍位置を青色に発光させる照明部１３・１４を備えてなり、地表面Ｇに対して垂直に立設された支柱部１０に灯具本体１１が固定された状態で設置される。
なお、以下、図３において矢印Ｘ方向を灯具本体１１の前後方向、図４及び図５において矢印Ｙ方向を灯具本体１１の左右方向とする。
【００２４】
支柱部１０は、ステンレス鋼製の直立形の柱であって、最上端に灯具本体１１が取り付けられている。本実施例では、この支柱部１０は、防犯灯支柱として用いられ、車道や歩道における路肩近傍位置に、灯具本体１１を突出させた姿勢で立設されている。
【００２５】
灯具本体１１は、アルミダイキャスト（若しくはステンレス鋼製）より形成され、上部本体１１ａと下部本体１１ｂとが一体として組み付けられている。上部本体１１ａは、平面視略楕円形であって上方に凸となるように略ドーム形状に形成されて、前後方向の一端が連結基部１２を介して支柱部１０と連結されている。下部本体１１ｂは、上部本体１１ａの下面及び下方側面を覆うようにして取り付けられており、平面視略楕円形状の開口部１１ｃが形成されている。
【００２６】
上部本体１１ａと下部本体１１ｂの内部中空には、二つの照明部１３・１４が設けられており（図３等参照）、各照明部１３・１４から開口部１１ｃを介して照射光が下方に向けて照射される。また、開口部１１ｃには、下側から照明部１３・１４を覆うようにしてグローブ１５（透光性カバー）が取り付けられ、照明部１３・１４からの照射光が透過される。グローブ１５は、無色透明のアクリル樹脂等により形成され、開口部１１ｃに対して着脱可能に取り付けられる。
【００２７】
灯具本体１１は、開口部１１ｃを下向きにして支柱部１０の最上端に連結基部１２を介して固定されており、詳細には、連結基部１２を中心に前後方向軸をやや上方に向けた姿勢で固定されている。かかる状態で、灯具本体１１は、地表面Ｇから所定距離Ｄだけ離間するように位置されている。なお、所定距離Ｄは、設置場所や、照明部１３・１４の照度及び輝度等に応じて適宜設定される。本実施例の防犯灯１は、灯具本体１１が地表面Ｇから垂直上方に３ｍ〜８ｍ上方に位置される。
【００２８】
照明部１３・１４は、灯具本体１１の略垂直下方に向けて白色系の照射光を照射する第一照明部１３と、灯具本体１１の略垂直下方よりも外側に向けて青色系の照射光を照射する第二照明部１４とで構成されている。このように、本実施例の防犯灯１は、白色系の照射光を照射する第一照明部１３と青色系の照射光を照射する第二照明部１４とが設けられることで、各照射部１３・１４から白色系と青色系の２色の照射光を同時に照射可能とされている（図１参照）。
【００２９】
なお、ここでいう「白色系」とは純白色から淡灰色までの色調を含む色のことをいい、また、「青色系」とは純色の青色の他に、藍色や青紫色等を含む色のことをいう。
【００３０】
図３乃至図５に示すように、第一照明部１３は、上部本体１１ａ及び下部本体１１ｂとで形成される内部空間の略中央部に設けられ、横断面形状に対応した板面状の照射部として構成されている。具体的には、第一照明部１３は、光源としての複数の白色ＬＥＤ１６・１６・・・と、各白色ＬＥＤ１６を固定するＬＥＤ基板１７等とで構成されている。
【００３１】
白色ＬＥＤ１６は、砲弾形状に形成されており、ＬＥＤ基板１７から突出するようにして、同一平面上に所定のピッチとなるように、略等間隔に、千鳥格子状若しくは碁盤升目状等の行列に配設されている。
ＬＥＤ基板１７は、長板状に形成された周知の配線基板であって、白色ＬＥＤ１６の接続端子と電気的に接続される取付孔（図略）が所定の配列で設けられている。白色ＬＥＤ１６は、ＬＥＤ基板１７の所定位置の取付孔にはんだ等によって装着される。
本実施例の第一照明部１３は、白色ＬＥＤ１６・１６・・・が長板状のＬＥＤ基板１７の前後方向に沿って一列に略等間隔で装着され、このＬＥＤ基板１７・１７・・・が灯具本体１１の左右方向に沿って略等間隔に配設されている。
【００３２】
第二照明部１４は、上述した第一照明部１３の外周縁部に沿って第一照明部１３を囲むようにして連設されており、横断面形状に対応した板面状の照射部として形成されている。具体的には、第二照明部１４は、光源としての複数の青色ＬＥＤ１８・１８・・・と、各青色ＬＥＤ１８を固定し第一照明部１３と共用されるＬＥＤ基板１７等とで構成されている。
【００３３】
青色ＬＥＤ１８は、砲弾形状に形成されており、ＬＥＤ基板１７に突出するようにして、同一平面上に所定のピッチとなるように、略等間隔に、千鳥格子状若しくは碁盤升目状等の行列に配設されている。特に、本実施例の青色ＬＥＤ１８は、灯具本体１１の左右方向の両側に配置されるＬＥＤ基板１７（の取付孔）に一列に略等間隔で装着されるとともに、開口部１１ｃの中央に配置されるＬＥＤ基板１７の前後両端（の取付孔）にも装着されている。
【００３４】
このように本実施例の灯具本体１１では、開口部１１ｃの略中心部に、第一照明部１３の白色ＬＥＤ１６・１６・・・が配置され、第二照明部１４の青色ＬＥＤ１８・１８・・・が第一照明部１３（白色ＬＥＤ１６・１６・・・）の周囲を囲むようにして配置されている。
なお、白色ＬＥＤ１６及び青色ＬＥＤ１８には、図示せぬＬＥＤ用の電源装置によってＬＥＤ基板１７を介して電力が供給される。
【００３５】
白色ＬＥＤ１６としては、超高光度（１０．００〜３５．００ｃｄ、２５℃、２０ｍＡ）で発光特性に優れたＬＥＤが好ましく用いられる。一方で、青色ＬＥＤ１８としては、汎用のＬＥＤを用いれば足りる。すなわち、後述するように、第一照明部１３における白色ＬＥＤ１６は、主に歩行者や走行車両用に地表面Ｇを照らす道路照明としての光源であるため、超高光度のＬＥＤを用いることで、地表面Ｇからの所定距離Ｄが大きくなっても地表面Ｇでの充分な明るさ照度を確保することができる。一方で、第二照明部１４における青色ＬＥＤ１８は、主に犯罪抑止用に灯具本体１１の近傍位置を照らす照明としての光源であるため、汎用のＬＥＤであっても、十分に灯具本体１１の近傍を「青色」に照らし出すことができる。
【００３６】
本実施例の防犯灯１は、水平面での平均照度が、設置場所や地表面Ｇからの所定距離Ｄ等によって、３〜５０ｌｘの範囲内となるように調整されている。一例として、交通量の多い道路に設置された場合には少なくとも灯具直下が３０ｌｘ以上となるように、交通量の少ない道路に設置された場合には３〜１０ｌｘとなるように調整される。また、一般商店街や市街地では約５〜４０ｌｘ、住宅地では１〜１０ｌｘとなるように調整される。
【００３７】
図６は、灯具本体１１から照射される照射光の水平面照度分布図である。詳細には、図６（ａ）は、灯具本体１１を地表面Ｇから約７．０ｍ上方に位置させたときの照度分布図であり、図６（ｂ）は、灯具本体１１を地表面Ｇから約４．５ｍ上方に位置させたときの照度分布図である。
【００３８】
特に、灯具本体１１を地表面Ｇから約７．０ｍ上方に位置させた防犯灯１には、第一照明部１３の光源として超高光度の白色ＬＥＤ１６が設けられる。その水平面照度分布は、略垂直下方では３０ｌｘの照度が確保されており、半径方向外側に遠ざかるにつれて１０ｌｘ、５ｌｘ、３ｌｘ、１ｌｘと減衰している（図６（ａ））。このようにかかる防犯灯１では、略垂直下方では３０ｌｘの照度が確保されつつ、灯具本体１１の前後方向（±１５ｍ）及び左右方向（±１５ｍ）の広範に渡って十分な照度が確保されるため、主に道路照明として交通量の多い道路の路肩近傍位置に設置することが可能である。
一方、灯具本体１１を地表面Ｇから約４．５ｍ上方に位置させた防犯灯では、その水平面照度分布は、略垂直下方では１０ｌｘの照度が確保されており、半径方向外側に遠ざかるにつれて５ｌｘ、３ｌｘ、１ｌｘと減衰している（図６（ａ））。そのため、かかる防犯灯１は、主に住宅地の歩道の路肩近傍位置に設置することが可能である。
【００３９】
また、本実施例の防犯灯１では、第一照明部１３からは、灯具本体１１の略垂直下方の領域（以下、かかる領域を略垂直下方領域Ｔ１という。）に向けて白色系の照射光が照射され、第二照明部１４からは灯具本体１１の略垂直下方よりも外側、すなわち略垂直下方領域Ｔ１の外側の領域（以下、かかる領域を下方外側領域Ｔ２という。）に向けて青色系の照射光が照射される。具体的には、好ましくは、灯具本体１１が開口部１１ｃを下向きにして固定された状態で、白色ＬＥＤ１６が略垂直下方に向けられるとともに、青色ＬＥＤ１８が略垂直下方よりも外側に向けられるように構成される（後述する図８乃至図１０を参照）。
【００４０】
すなわち、本実施例では、第二照明部１４から灯具本体１１の略垂直下方よりも外側方向に向けて照射光が照射されればよいが、好ましくは、灯具本体１１の略垂直下方よりも外側方向であって、かつ灯具本体１１からの略垂直下方軸と第二照明部１４からの照射光の方向軸とのなす角θ（図略）が０°＜θ≦９０°となる方向に向けて照射される。例えば、本実施例のように、第一照明部１３と第二照明部１４とを同一平面状に連設させて、略垂直下方に向けて同一方向に揃えて照射光を照射させるような構成だけでなく、第二照明部１４を灯具本体１１（下部本体１１ｂ）の側面に向くようにして配設し、略水平方向に照射光を照射させるように構成してもよい。
【００４１】
図７は、灯具本体１１から照射される照射光の光分布のイメージ図である。詳細には、図７（ａ）は、灯具本体１１の近傍位置の水平面Ａでの光分布のイメージ図であり、図７（ｂ）は、地表面Ｇの近傍位置の水平面Ｂでの光分布のイメージ図である。
【００４２】
本実施例では、灯具本体１１の近傍位置においては、略垂直下方領域Ｔ１では第一照明部１３から照射された白色系の照射光により白色系の光分布となり、下方外側領域Ｔ２では第二照明部１４から照射された青色系の照射光により青色系の光分布となる（図７（ａ））。このような状態では、防犯灯１を遠方から目視すると、灯具本体１１及びその下方近傍位置が青色に発光しているように視認される。このように、第二照明部１４は、灯具本体１１及びその近傍位置を「青色」に照らす犯罪抑止用の照明部として作用する。
【００４３】
一方、地表面Ｇの近傍位置では、略垂直下方領域Ｔ１が灯具本体１１の近傍位置と比べてその領域が外周方向に広がっており、主に白色系単一の光分布となる（図７（ｂ））。このような状態では、例えば、歩行者や走行車両が防犯灯１に徐々に近接して灯具本体１１の略垂直下方（略垂直下方領域Ｔ１）を通過する際には、略垂直下方の地表面Ｇ及びその周辺が白色系の照射光により白色に発光されている。このように、第一照明部１３は、主に歩行者や走行車両用に歩車道の地表面Ｇを照らす道路照明部として作用する。
【００４４】
以上のように、本実施例の防犯灯１は、同時に少なくとも２色以上の照射光を照射可能な屋外用照明器具であって、光源として複数の白色ＬＥＤ１６及び青色ＬＥＤ１８が配設され、地表面Ｇから所定距離Ｄだけ上方に位置される灯具本体１１と、灯具本体１１の略垂直下方位置を白色に発光させるとともに、灯具本体１１及びその近傍位置を青色に発光させる照明部を備えてなり、特に、前記灯具本体１１の略垂直下方に向けて白色系の照射光を照射する第一照明部１３と、前記灯具本体１１の略垂直下方よりも外側に向けて青色系の照射光を照射する第二照明部１４とを備えてなるものである。
【００４５】
そして、このような構成とすることで、環境負荷の軽減を図るとともに、犯罪抑止力を効果的に発揮して、安全・安心な街づくりのための環境設計に寄与できるのである。
【００４６】
すなわち、本実施例の防犯灯１は、光源として白色ＬＥＤ１６及び青色ＬＥＤ１８が用いられるため、消費電力を抑制でき、光源発熱量の低減による温暖化防止といった環境負荷の軽減化を達成することができる。具体的には、光源からの発熱量の低減による地球温暖化防止対策（例えば、ヒートアイランド問題の解決）や、消費電力の低減による省電力事業対策や、その波及効果としての二酸化炭素削減事業対策などに寄与することができ、環境に配慮した事業活動を行う上で、本実施例の防犯灯１を用いることが効果的である。
【００４７】
特に、本実施例の防犯灯１のように光源としてＬＥＤを用いることによって、従来の蛍光ランプ等が用いられる防犯灯と比較して、その消費電力を１０％〜１５％に抑えることができるとともに、長寿命化によるメンテナンスコストも大幅に低減できる。したがって、本実施例の防犯灯１を従来の防犯灯に替えて設置した場合には、数年後には組替え費用を消費電力コストの低減で賄うこともできるのである。
さらに、光源にＬＥＤを用いることで、灯具本体１１に虫が寄り難くなるため、灯具本体１１や光源（白色ＬＥＤ１６及び青色ＬＥＤ１８）のメンテナンスコストも軽減できる。
【００４８】
また、本実施例の防犯灯１は、灯具本体１１及びその近傍位置が青色に発光され、遠方からは青色系の照射光により灯具本体１１及びその近傍位置が「青色」に発光しているように視認することができるため、「青色」の防犯灯１として犯罪抑止の効果が期待できるとともに、地表面Ｇの近傍位置が白色系に照らされているため、防犯灯１の下方を通過する歩行者や走行車両の円滑な通行が妨げられることがない。そして、当該地域にこのような「青色」の防犯灯１を複数箇所に配置することで、犯罪抑止効果を発揮して、安全・安心な街づくりのための環境設計に寄与することができる。
【００４９】
また、本実施例の防犯灯１では、第二照明部１４は、第一照明部１３の外周縁部に沿って連設されるため、中心部に白色ＬＥＤ１６を配置し、その外周を囲むようにして青色ＬＥＤ１８を配設することで、指向性（直進性）の高いＬＥＤによって２色の照射光を効率よく分離させることができる。特に、第二照明部１４から青色系の照射光を全方向に照射させることができ、灯具本体１１及びその近傍位置での「青色」の視認性を向上できる。
【００５０】
また、本実施例の防犯灯１では、灯具本体１１が支柱部１０に直付けして固定されるため、例えば、支柱部１０と灯具本体１１との間にアーム部材等が不要であり、構成部材を減らして、防犯灯１の製造コストを低減できる。
【００５１】
なお、以上のように構成される防犯灯１の設置場所としては、街頭犯罪の発生した場所若しくは発生が予想される場所であることが好ましい。具体的には、市街地の道路・交差点・駐車場・公園等に配置される。特に、防犯対策のモデル地域として環境設計をすることによって、更なる効果が期待できる。
【００５２】
本実施例の屋外照明装置の構成としては、上述した防犯灯１の構成に限定されない。
なお、以下に図示して説明する別実施例では、灯具本体１１等の構成について、上述した実施例と略同一である箇所についての詳細な説明は省略し、主に、構造上相違する箇所についてのみ詳細に説明する。
【００５３】
すなわち、上述した実施例では、灯具本体１１を構成する下部本体１１ｂがアルミダイキャストなどの遮光性部材より形成されているが、これに限定されず、例えば、無透明のアクリル樹脂などの透光性部材より形成されてもよい。このような構成とすることで、灯具本体１１において、第二照明部１４から左右方向に照射される青色の照射光の量を増大させることができ、遠方の地点における灯具本体１１の「青色」の照度をより高めることができる。
【００５４】
また、本実施例の屋外照明装置の構成としては、第一照明部１３及び第二照明部１４の配置や各ＬＥＤ（白色ＬＥＤ１６及び青色ＬＥＤ１８）の配置及び個数等は、上述した実施例に特に限定されない。
特に、上述した実施例では、第二照明部１４は、第一照明部１３の外周縁部に沿って連設されるが（図４等参照）、少なくとも、第一照明部１３の対向する一対の縁部、特に左右方向の両縁部に配置されてもよい（図８乃至図１０参照）。このように第二照明部１４を配置することで、灯具本体１１の左右方向の側面から外側に向けて青色系の照射光を照射させることができ、遠方から防犯灯１に近づく際に、「青色」を確実に視認することができる。
【００５５】
また、上述した実施例では、第一照明部１３及び第二照明部１４は、横断面形状に対応した板面状に構成されるが（図４等参照）、灯具本体１１が開口部１１ｃを下向きにして固定された状態で、白色ＬＥＤ１６が略垂直下方に向けられるとともに、青色ＬＥＤ１８が略垂直下方よりも配置構成上はっきりと外側に向けられるように、例えば、ＬＥＤ基板１７を平面視で略中央部が左右方向の縁部に対して下方に凸となるように断面視略半円状に湾曲させて形成し、各ＬＥＤ１６・１８をＬＥＤ基板１７の形状（湾曲面）に沿って装着させるように構成されてもよい。
【００５６】
さらに、図８乃至図１０に示す防犯灯２のように、灯具本体２１に形成された開口部２１ｃを覆うように長板状に形成され、垂直断面視で逆台形状となるように左右方向の縁部がそれぞれ上方に折曲されたＬＥＤ基板２７が設けられてもよい。このＬＥＤ基板２７は、水平部２７ａに第一照明部２３が形成され、一対の斜方部２７ｂ・２７ｂに第二照明部２４がそれぞれ形成される。各照明部２３・２４は、ＬＥＤ基板２７に前後方向に沿って所定ピッチで略等間隔に各ＬＥＤ２６・２８が装着される。
【００５７】
このとき、第一照明部２３及び第二照明部２４の構成としては、少なくとも第二照明部２４の照射光が灯具本体１１の略垂直下方よりも外側方向に向けて照射光が照射されるように、第一照明部２３の水平面（ＬＥＤ基板２７の水平部２７ａの平面）と第二照明部２４の水平面（ＬＥＤ基板２７の斜方部２７ｂ・２７ｂの平面）とのなす角θが０°＜θ≦９０°の範囲となるように配設される。このように構成することで、第一照明部１３の照射光を灯具本体１１の略垂直下方に向けて照射させ、第二照明部１４の照射光を第一照明部１３の照射光の照射方向よりも灯具本体１１の外側方向に向けて確実に照射させることができるのである。
【００５８】
すなわち、かかる構成では、略中央部に配設される第一照明部２３からは、略垂直下方に照射光が照射されるが、一方、その左右方向の両側部に配設される第二照明部２４からは略垂直下方に対して下方斜外側に向けて照射光が照射される。そして、このように第二照明部２４（青色ＬＥＤ２８）からの青色系の照明光を、灯具本体１１の下方斜外側に向けて照射させることで、灯具本体１１又はその近傍位置をより効果的に「青色」に照らすことができる。
【００５９】
また、第二照明部１４の構成として、上述した実施例では、第二照明部１４に光源として青色ＬＥＤ１８・１８・・・が配設されることで青色系の照射光を照射するように構成されているが、例えば、第二照明部１４においても光源として白色ＬＥＤ１６・１６・・・を配置するとともに、照明部１３・１４を覆うようにして取り付けられたグローブ１５の内、第二照明部１４からの照射光が透過される箇所を青色系塗料等により着色したり、白色ＬＥＤ１６・１６・・・に直接青色系塗料等を塗布して着色したりすることで、結果として第二照明部１４から青色系の照射光が照射されるように構成してもよい。
【００６０】
また、第一照明部１３及び第二照明部１４には、例えば、光源（白色ＬＥＤ１６及び青色ＬＥＤ１８）からの照射光を所定方向に反射するための反射板（図略）が設けられてもよい。かかる反射鏡は、ＬＥＤ基板１７の上方から白色ＬＥＤ１６及び青色ＬＥＤ１８の先端部を突出させるようにして、照射光が効率よく反射されるように取り付けられる。ただし、反射板を用いる替わりに、ＬＥＤ基板１７の表面を鏡面仕上げすることで代用することも可能である。
【００６１】
また、上述した実施例では、灯具本体１１に設けられた連結基部１２は、灯具本体１１（上部本体１１ａ）を支柱部１０に対して位置変動不能に固定するように構成されているが（図３等参照）、連結基部１２において、灯具本体１１の地表面Ｇとの水平方向及び上下方向の相対角度を可変調節可能となるような構成としてもよい。このような構成とすることで、防犯灯１の設置場所を限定することなく、設置場所に応じた最適な照明環境を創出することが容易となる。
【００６２】
また、図１１に示す実施例のように、歩車一体型の街路灯３として、一の支柱部３０に対して灯具本体３１Ｌ・３１Ｈを地表面からの所定距離Ｄ１・Ｄ２が異なるように複数配置してもよい。このような構成とすることで、例えば、本実施例の街路灯３を、歩道と車道との境界部に、灯具本体３１Ｌを歩道側に突出させ灯具本体３１Ｈを車道側に突出させた状態で設置することで、一の街路灯３で歩道用街路灯と車道用街路灯とを兼用することができ、個別に設置する場合と比べてその設置コストを低減できる。
【００６３】
具体的には、街路灯３は、一の支柱部３０に対して一対の灯具本体３１Ｌ・３１Ｈが配置され、各灯具本体３１Ｌ・３１Ｈがそれぞれ地表面Ｇからの所定距離Ｄ１・Ｄ２が異なり、かつ同一垂直平面上に位置するようにして反対方向に向けて突設されるように構成され、一方の灯具本体３１Ｌが歩道用照明として低位置（所定距離Ｄ１）に配設され、他方の灯具本体３３Ｈが車道用照明として高位置（所定距離Ｄ２、Ｄ２＞Ｄ１）に配設される。このとき、灯具本体３１Ｌにおける所定距離Ｄ１は約３〜４ｍ、灯具本体３３Ｈにおける所定距離Ｄ２は約６〜８ｍとなるように調整される。
灯具本体３１Ｌ・３１Ｈは、歩道又は車道の照度基準を満たすだけの光度を有する照明部が設けられている。特に、灯具本体３１Ｈに設けられる白色ＬＥＤには、灯具本体３３Ｌに設けられる白色ＬＥＤと比べて高光度のものが用いられ、少なくとも３０ｌｘ以上のものが用いられる。
ただし、灯具本体３１Ｌ・３１Ｈの個数や配置等はこれに限定されず、例えば、一対の灯具本体が平面視略Ｙ字形状となるように配置されてもよく、また灯具本体が３個以上配置されてもよい。
【００６４】
また、図１２に示す実施例のように、防犯灯４として、各ＬＥＤ１６・１８に電力を供給する太陽電池を用いた自動蓄電手段としての太陽光発電システム４９が設けられてもよい。
具体的には、太陽光発電システム４９として、支柱部４０の上端部に方向可変に取り付けられ太陽電池がモジュール化して敷設された太陽電池パネル４９ａと、太陽電池パネル４９ａからの電力を蓄電する蓄電装置４９ｂ等とで構成される。蓄電装置４９ｂに蓄電された電力は灯具本体４１の光源（ＬＥＤ）の電力として供給される。また、各太陽電池パネル４９ａや蓄電装置４９ｂ等は、図示せぬ導線を介して接続されている。このように、太陽光発電システム４９が設けられることで、夜間照明用の電力を太陽光により賄うことができるため、省電力に寄与することができる。また、配電線等の敷設が不要であるため、設置場所を選ばず、街路やその周辺環境の設計が容易となる。
なお、このような防犯灯４の設置場所としては、従来の防犯灯では敷設工事が困難な場所や、災害避難場所や緊急避難場所などが好ましい。
【００６５】
また、上述する太陽光発電システム４９を備えた防犯灯４は、太陽光発電システム４９の他に、さらに監視用及び会話用の録音録画可能な通信カメラや、異常を知らせる警報手段としての回転灯及び通報ボタンや、本部のメインサーバに通信可能な有線又は無線の通信システム等の内いずれか一種若しくは二種以上を設けた通話録画機能付き防犯灯（いわゆる「スーパー防犯灯」）として用いられてもよい。特に、本実施例では、灯具本体１１の略垂直下方位置に白色系の照射光が照射されることによって、略垂直下方に位置する対象物を白色系の自然色で照らし出すことができるため、上述した通信カメラによって鮮明な画像を録画することができる。
【図面の簡単な説明】
【００６６】
【図１】本発明の一実施例に係る防犯灯の全体的な構成を示した側面図。
【図２】灯具本体の斜視図。
【図３】灯具本体の側面図。
【図４】灯具本体の下方平面図。
【図５】同じく図４の灯具本体の下方平面図。
【図６】灯具本体から照射される照射光の水平面照度分布図。
【図７】灯具本体から照射される照射光の光分布のイメージ図。
【図８】別実施例に係る防犯灯の灯具本体の側面図。
【図９】同じく図８の灯具本体の側面図。
【図１０】図８の灯具本体の正面断面図。
【図１１】別実施例に係る歩車一体型の街路灯の全体的な構成を示した側面図。
【図１２】太陽光発電システムを備えた図１の防犯灯の全体的な構成を示した側面図。
【符号の説明】
【００６７】
１    防犯灯（屋外用照明器具）
１０    支柱部
１１    灯具本体
１３    第一照明部
１４    第二照明部
１６    白色ＬＥＤ
１８    青色ＬＥＤ
Ｇ    地表面
Ｄ    所定距離
【図１】
2008135381.tif 000003
【図２】
2008135381.tif 000004
【図３】
2008135381.tif 000005
【図４】
2008135381.tif 000006
【図５】
2008135381.tif 000007
【図６】
2008135381.tif 000008
【図７】
2008135381.tif 000009
【図８】
2008135381.tif 000010
【図９】
2008135381.tif 000011
【図１０】
2008135381.tif 000012
【図１１】
2008135381.tif 000013
【図１２】
2008135381.tif 000014